(57)【特許請求の範囲】
【請求項１】
モータを内蔵した本体と、前記本体に着脱自在に嵌合し、かつ前記モータにより回転駆動されるカッターを内蔵する容器と、印刷配線板とを備え、前記印刷配線板には、少なくとも１個のコンデンサと、配線用のリ−ド線と、一方が前記モータに固着され、他方に前記コンデンサを係止するコンデンサ係止部が形成された金属製の取付金具が固着された電動調理器。
【請求項２】
取付金具の一部にリ−ド線係止部を設けた請求項１記載の電動調理器。
【請求項３】
取付金具のモ−タへの取付部と印刷配線板との間に上方に突出する突出部を形成した請求項１又は２に記載の電動調理器。
【請求項４】
取付金具のモ−タへの取付部を折り返し、その端部に突状折り曲げ部を形成した請求項１〜３のいずれか１項に記載の電動調理器。
【請求項５】
取付金具の一部で印刷配線板の両面を挟み込む構成とした請求項１〜４のいずれか１項に記載の電動調理器。
【請求項６】
取付金具のモ−タへの取付部と印刷配線板との間に、印刷配線板を挟み込む切り起こし部を形成した請求項５記載の電動調理器。
【発明の詳細な説明】
【０００１】
【発明の属する技術分野】
本発明は、電動機によって容器内に内蔵したカッタ−を回転させ、調理材料を切削・攪拌、または、ジュ−スにするミキサーまたはジュ−サ−等の電動調理器の分野に関するものである。
【０００２】
【従来の技術】
従来、整流子モ−タを採用している電動調理器は、他の電気製品等への雑音の影響を少なくするため、機器からの雑音の発生を少なくすることが要望されてきており、そのために雑音防止部品が採用されていた。
【０００３】
以下、従来の電動調理器の一例について説明する。図１１において、１はモータ２を内蔵した本体で、３、４は雑音防止用のコンデンサ、５はコンデンサ取付用の取付金具、６は配線用のリ−ド線で印刷配線板７にハンダ８により固着されている。前記コンデンサ３、４は取付金具５を介してモ−タ２にナット９により固着されていた。
【０００４】
【発明が解決しようとする課題】
しかしながら上記従来の構成では、印刷配線板７の雑音防止用のコンデンサ３、４のリ−ドの根元部あるいは配線用のリ−ド線６は取付面に対して完全な固定状態とはなっておらず、モ−タ２の運転時に繰り返し加わる振動のため、コンデンサ３、４およびリ−ド線６が振動して、取付位置、採用するコンデンサのリ−ドの太さ・重量等によりリ−ドの折れ、あるいはリ−ド線６の断線が発生することがあった。また、液体を調理する機器のため、本体上部に誤ってこぼした液体が本体内に侵入しモ−タを伝わって印刷配線板に付着し充電部異極間が短絡する可能性があった。
【０００５】
本発明は上記従来の問題点を解決するもので、モ−タ運転時の振動により生じるコンデンサのリ−ドの折れ、あるいは配線用のリ−ド線の断線を防止し、かつ、本体上部に誤ってこぼした液体が侵入した場合でも、モ−タを伝わって印刷配線板に付着するのを防止する電動調理器を提供することを目的としている。
【０００６】
【課題を解決するための手段】
上記目的を達成するために本発明の電動調理器は、モータを内蔵した本体と、前記本体に着脱自在に嵌合し、かつ前記モータにより回転駆動されるカッターを内蔵する容器と、印刷配線板とを備え、前記印刷配線板には、少なくとも１個のコンデンサと、配線用のリ−ド線と、一方が前記モータに固着され、他方に前記コンデンサを係止するコンデンサ係止部が形成された金属製の取付金具が固着されたものである。これにより、モ−タ運転時の振動によるコンデンサのリ−ドの折れ、および配線用のリ−ド線の断線を防止する電動調理器が得られる。
【０００７】
【発明の実施の形態】
請求項１記載の発明は、モータを内蔵した本体と、前記本体に着脱自在に嵌合し、かつ前記モータにより回転駆動されるカッターを内蔵する容器と、印刷配線板とを備え、前記印刷配線板には、少なくとも１個のコンデンサと、配線用のリ−ド線と、一方が前記モータに固着され、他方に前記コンデンサを係止するコンデンサ係止部が形成された金属製の取付金具が固着されたものであり、前記取付金具のコンデンサ係止部によりコンデンサの振れが規制されることとなる。
【０００８】
請求項２記載の発明は、請求項１に記載の発明の取付金具の一部に配線用のリ−ド線係止部を設けたものであり、前記取付金具の係止部によりリ−ド線の振れが規制されることとなる。
【０００９】
請求項３記載の発明は、請求項１又は２に記載の取付金具のモ−タへの取付部と印刷配線板との間に上方に突出する突出部を形成したものであり、誤まって本体上部にこぼした液体が侵入した場合、モ−タを伝わった液体が突出部で印刷配線板方向に流れるのを防止することとなる。
【００１０】
請求項４記載の発明は、請求項１〜３のいずれか１項に記載の発明の取付金具のモ−タ−への取付部を折り返し、その端部に突状折り曲げ部を形成したものであり、誤まって本体上部にこぼした液体が侵入した場合、モ−タを伝わった液体が突状折り曲げ部で印刷配線板方向に流れるのを防止できるとともに、取付部の補強が行えることとなる。
【００１１】
請求項５記載の発明は、請求項１〜４のいずれか１項に記載の取付金具の一部で印刷配線板の両面を挟み込んだものであり、前記取付金具の印刷配線板への装着が容易になり、ハンダ付け時に浮き上がらなくなる。
【００１２】
請求項６記載の発明は、請求項５に記載の発明の取付金具のモ−タへの取付部と印刷配線板との間に、印刷配線板を挟み込む切り起こし部を形成したもので、誤まって本体上部にこぼした液体が本体内に侵入した場合、モ−タを伝わった液体が穴から落下し、印刷配線板に付着するのを防止することとなる。
【００１３】
【実施例】
（実施例１）
以下、本発明の第１の実施例について図面を参照しながら説明する。  図１、図２、図３において、２０はモータ２１を内蔵した本体で、２２は本体２０上に着脱自在に嵌合し、容器２３内部に装着され、下部に固着されたカップリング２４をモ−タ２１に固着されたカップリング２５を介して回転駆動されるカッター２６を装着したジュ−ス分離籠である。２７は容器２３の開口部を覆う容器蓋で、材料投入用の投入口２８を形成している。２９は印刷配線板で、雑音防止用のコンデンサ３０、３１とリ−ド線３２と取付金具３３をハンダ付けにより固着されており、前記取付金具３３の一方をナット３４でモ−タ２１のねじ３５に固着されている。本体２０とモ−タ軸３６およびカップリング２５の間にはモ−タ巻線を冷却するための空気が流れるように通路３７が設けられている。３８は取付金具３３の他方に形成されたコンデンサ３０を係止する部品係止部であるコンデンサ係止部である。
【００１４】
以上のように構成された電動調理器について、以下その動作を説明する。まず本体２０上に容器２３載置し、さらにカッタ−２６を固着したジュ−ス分離籠２２のカップリング２４部をモ−タ２１に固着されたカップリング２５に嵌合させた後、容器蓋２７を容器２３の開口部に装着し、クランプ３９で係止する。そして、モータ２１を駆動しジュ−ス分離籠２２が回転した後、容器蓋２７の投入口２８より材料を入れ押し込み棒でカッタ−２５に押し当てジュ−スと絞り粕にジュ−ス分離籠２２で分離する。
【００１５】
図４は回路図で、モ−タ２１と電源４０の間に電源スイッチ４１が接続されている。印刷配線板２９にはコンデンサ３０が１個とコンデンサ３１が２個デルタ型に配置されており、コンデンサ３１の一端は取付金具３３を介してモ−タ２１の金属部に接続されている。
【００１６】
モ−タ２１運転時は高速回転による振動が発生するため、その振動が取付金具３３を介して印刷配線板２９に固着されているコンデンサ３０、３１、配線用リ−ド線３２に伝わり、それぞれの重量に応じた振幅で部品が振動するため、取付部には応力が繰り返し加わることとなる。
【００１７】
以上のように本実施例によれば、取付金具３３の一方に取付部を他方にコンデンサ３０係止部を設け、前記取付部を介して印刷配線板２９をモ−タ２１に固着したので、コンデンサ３０が印刷配線板２９と同じ振幅で揺れるためリ−ドに応力が加わらず、リ−ドの折れを防止できる。
【００１８】
なお本実施例では、振幅が大きくなる取付金具３３と略直角方向に配置したコンデンサ３０を係止しているが、コンデンサ３１を係止しても同様の効果がある。
【００１９】
（実施例２）
以下、本発明の第２の実施例について図面を参照しながら説明する。図５において、第１の実施例と同一部材については同一符号とし説明を省く。そして第２の実施例が第１の実施例と異なる点は、取付金具５０の一部に、部品係止部である配線用のリ−ド線５１を係止するリード線係止部５２を設けていることである。
【００２０】
以上のように本実施例によれば、取付金具５０の一部に配線用のリ−ド線５１係止部５２を設けているため、リ−ド線５１の振れを抑制できるので、リ−ド線５１根元に折り曲げ力が加わらず、リ−ド線５１の断線を防止できる。
【００２１】
（実施例３）
以下、本発明の第３の実施例について図面を参照しながら説明する。図６において、第１の実施例と同一部材については同一符号とし説明を省く。６０は取付金具で、モ−タ２１への取付部６１と印刷配線板６２との間に上方に突出する突出部６３を形成している。
【００２２】
以上のように本実施例によれば、取付金具６０のモ−タ２１への取付部６１と印刷配線板６２との間に上方に突出する突出部６３を形成したので、誤まって本体上部にこぼした液体が本体内に侵入してモ−タ２１の上方を伝わっても、突出部６３で遮られ印刷配線板６２方向に流れるのを防止できる。
【００２３】
（実施例４）
以下、本発明の第４の実施例について図面を参照しながら説明する。図７において、第１の実施例と同一部材については同一符号とし説明を省く。７０は取付金具で、モ−タ２１への取付部７１を折り返し、その端部を折り曲げ、取付部７１と印刷配線板７３との間に突状折り曲げ部７４を形成している。
【００２４】
以上のように本実施例によれば、取付金具７０のモ−タ２１への取付部７１を折り返し、その折り返し部７２の端部に突状折り曲げ部７４を形成したので、誤って本体上部に液体をこぼした場合、本体内に侵入しモ−タを伝わった液体が、突状折り曲げ部７４で遮られ印刷配線板７３方向に流れるのを防止できるとともに、取付金具７０の取付部７１が二重となり取付強度が向上する。なお、取付金具７０にばね性のある材料を使用し、回り止め７５を形成すれば取付用ナット３４のゆるみ止めの効果も得られる。
【００２５】
（実施例５）
以下、本発明の第５の実施例について図面を参照しながら説明する。図８において、第１の実施例と同一部材については同一符号とし説明を省く。８０は取付金具で、印刷配線板８１との当接部８２の一部にハンダ付面８３側を保持する切り起こし部８４を一体に形成している。取付金具８０を印刷配線板８１に装着するときは、ハンダ付け部８５を印刷配線板８１の穴８６に挿入した後、スライドさせて切り起こし部８４をハンダ付面８３側に装着し印刷配線板８１の両面を挟み込む。
【００２６】
以上のように本実施例によれば、印刷配線板８１当接部８２の一部にハンダ付面８３を保持する切り起こし部８４を形成しているため、印刷配線板への装着が容易になり、ハンダ付け時に取付金具が印刷配線板より浮き上がらなくなり、ハンダ付けが容易にできる。なお本実施例では、切り起こし部を一体に形成したが別部品をかしめ等の手段で固着しても同様の効果が得られる。
【００２７】
また、本実施例では取付金具の中央部を打ち抜き・曲げることにより切り起こし部を形成したが、側面端部を折り曲げ印刷配線板保持部を形成しても同様の効果がある。
【００２８】
（実施例６）
以下、本発明の第６の実施例について図面を参照しながら説明する。図９、図１０において、第１の実施例と同一部材については同一符号とし説明を省く。９０は取付金具で、モ−タ２１への取付部９１と印刷配線板９２との間に切り起こし部９３を一体に形成している。９４は切り起こし部９３を形成したことにより生じた穴である。
【００２９】
以上のように本実施例によれば、取付金具９０のモ−タ２１への取付部９１と印刷配線板９２との間に切り起こし部９３を形成したので、印刷配線板への装着が容易になるとともに、誤まって本体上部に液体をこぼした場合、本体内に侵入しモ−タ２１を伝わった液体が穴９４から落下し、印刷配線板へは到達しないため、印刷配線板への液体の付着を防止することができる。
【００３０】
【発明の効果】
以上のように、請求項１に記載の発明によれば、モータを内蔵した本体と、前記本体に着脱自在に嵌合し、かつ前記モータにより回転駆動されるカッターを内蔵する容器と、印刷配線板とを備え、前記印刷配線板には、少なくとも１個のコンデンサと、配線用のリ−ド線と、一方が前記モータに固着され、他方に前記コンデンサを係止するコンデンサ係止部が形成された金属製の取付金具が固着されたので、コンデンサの振れを抑制できるので、接着等で固定をしなくともリ−ドの折れを防止できる。
【００３１】
また、請求項２に記載の発明によれば、取付金具の一部に配線用リ−ド線係止部を設けたので、リ−ド線の振れを抑制でき、ボ−ドインコネクタ−等を用いなくともリ−ド線の断線を防止できるので、安価なリ−ド線が得られる。
【００３２】
また、請求項３に記載の発明によれば、取付金具のモ−タへの取付部と印刷配線板との間に上方に突出する突出部を形成したので、誤まって本体上部に液体をこぼした場合、本体内に侵入しモ−タを伝わった液体が突出部で遮られ印刷配線板方向に流れるのを防止でき、しいては印刷配線板への液体の付着による異極充電部間の短絡を防止することができる。
【００３３】
また、請求項４に記載の発明によれば、取付金具のモ−タへの取付部を折り返し、その端部を突状折り曲げ部を形成したので、誤まって本体内に侵入しモ−タを伝わった液体が突出部で遮られ印刷配線板方向に流れるのを防止でき、しいては印刷配線板への液体の付着を防止することができるとともに、取付部が二重となり強度が向上する。
【００３４】
また、請求項５に記載の発明によれば、取付金具の一部で印刷配線板の両面を挟み込んだものをモータに固着したので、印刷配線板への装着が容易になり、ハンダ付け時の浮き上がりがなくなり、ディップ槽を使用したハンダ付けが容易となる。
【００３５】
また、請求項６に記載の発明によれば、取付金具のモ−タへの取付部と印刷配線板との間に印刷配線板を挟み込む切り起こし部を形成したので、印刷配線板への装着が容易になり、かつ、誤まって本体上部に液体をこぼした場合、本体内に侵入しモ−タを伝わった液体が穴から落下し、印刷配線板への液体の付着を防止することができる。
【図面の簡単な説明】
【図１】  本発明の実施例１〜６の電動調理器の要部断面図
【図２】  本発明の実施例１の電動調理器の印刷配線板近傍の要部拡大図
【図３】  同、印刷配線板近傍の要部拡大平面図
【図４】  同、電動調理器の回路図
【図５】  本発明の実施例２の電動調理器の印刷配線板近傍の要部拡大平面図
【図６】  本発明の実施例３の電動調理器の印刷配線板近傍の要部拡大図
【図７】  本発明の実施例４の電動調理器の印刷配線板近傍の要部拡大図
【図８】  本発明の実施例５の電動調理器の印刷配線板近傍の要部拡大平面図
【図９】  本発明の実施例６の電動調理器の印刷配線板近傍の要部拡大図
【図１０】  本発明の実施例６の電動調理器の印刷配線板近傍の要部拡大平面図
【図１１】  従来の電動調理器の要部断面図
【符号の説明】
２０  本体
２１  モータ
２３  容器
２６  カッター
２９、６２、７３、８１、９２  印刷配線板
３０、３１  コンデンサ
３２、５１  リ−ド線
３３、５０、６０、７０、８０、９０  取付金具
３８  コンデンサ係止部
５２  リ−ド線係止部
６３  突出部
７２  折り返し部
７４  突状折り曲げ部
８３  ハンダ付面
８４、９３  切り起こし部
９４  穴
【図１】
0004003355.tif 000002
【図２】
0004003355.tif 000003
【図３】
0004003355.tif 000004
【図４】
0004003355.tif 000005
【図５】
0004003355.tif 000006
【図６】
0004003355.tif 000007
【図７】
0004003355.tif 000008
【図８】
0004003355.tif 000009
【図９】
0004003355.tif 000010
【図１０】
0004003355.tif 000011
【図１１】
0004003355.tif 000012